(57)【特許請求の範囲】
【請求項１】
被着体であるパネルの背面側に形成されたレールと、構造体に取付けられると共に前記レールと交叉するように配された取付桟と、取付桟に摺動可能に取り付けられた金具と、前記金具に取付けられると共に前記レールに摺動可能に取り付けられた連結部材とからなり、前記連結部材は、パネル背面の両端縁が相対向して内側に折曲して形成されたレール凹部に内挿されて摺動可能に係合される係合部と、当該係合部に延設して前記金具に取付可能に立ち上げられたボルトの締め付け面とが形成され、当該係合部を内挿するレールの上面が前記締め付け面よりも高く形成されると共に前記締め付け面に立設されたボルトが金具に締め付けられることにより、係合部を内挿する前記レールが金具方向に導かれ、もって前記レールが金具と係合部との間に挟着されるようになされたことを特徴とする被着体の取付構造。
【請求項２】
前記パネルは、電波吸収性を有する電波吸収パネルであることを特徴とする請求項１に記載の被着体の取付構造。
【請求項３】
被着体であるパネルの背面側に形成されたレールと、構造体に取付けられると共に前記レールと交叉するように配される取付桟と、取付桟に摺動可能に取り付けられる金具と、前記金具に取付けられると共に前記レールに摺動可能に取り付けられる連結部材とからなり、前記連結部材は、パネル背面の両端縁が相対向して内側に折曲して形成されたレール凹部に内挿されて摺動可能に係合される係合部と、当該係合部に延設して前記金具に取付可能に立ち上げられたボルトの締め付け面とが形成され、当該係合部を内挿するレールの上面が前記締め付け面よりも高く形成されると共に前記締め付け面に立設されたボルトが金具に締め付けられることにより、係合部を内挿する前記レールが金具方向に導かれ、もって前記レールが金具と係合部との間に挟着されるようになされたことを特徴とする被着体の取付金具。
【発明の詳細な説明】
【０００１】
【発明の属する技術分野】
本発明は、主として高速道路や鉄道などの沿線構造体に、騒音や電波障害などの防止対策、または美装化などのために、パネルやブロック製品などの被着体を取り付ける取付構造及び取付金具に関するものである。
【０００２】
【従来の技術】
従来、この種のパネル構造としては、例えば一般道や高速道路などの構築物に設置される防音壁やトンネル内装板、桁美装板または電波吸収パネルなどのパネル製品を設置する場合に、予め構造体に固定された下地胴縁にパネル製品が押し当てられ、下地胴縁にあけられた孔位置に前記パネル製品の取付孔位置が合わせられ、ボルトが螺入されて強く締結されていた。また別の方法として、例えば下地胴縁の孔あけ加工はなされずに、現場でパネルと下地胴縁とが重なる適正な位置に自穿孔式のドリルビスを螺入させて、パネルを固定するといった方法が採られている。
【０００３】
【発明が解決しようとする課題】
しかしながら、前者はボルトによって強く締結固定されるので、振動や風荷重などの外力が加わっても安全面で高い信頼性が得られるが、下地の僅かな凹凸や変形、または障害物などがあると、孔位置がずれてしまうために、それに対応させた詳細なる割付設計が事前に必要となってくる。そこで現地測量とその設計業務に多大な労力と費用が伴ってしまう。また喩え高い精度で設計され、その設計に基づいて下地胴縁に孔あけ加工が施されても、下地胴縁とパネルとの孔位置が一致しないといったことがあるので、現場合わせによる孔あけ加工を施す作業はどうしても避けられない。
【０００４】
また後者の場合は、施工時に適宜好ましい位置にビス止め処理が施せ、柔軟に施工出来る点では好ましいが、前記ドリルビスの締結強度が弱かったり、また締結強度に大きなばらつきが生じるおそれがある為に、安全性の面で信頼性に欠けるといった重大な問題がある。
【０００５】
これらの問題点を解消するものとして特開２０００−９６５２２号公報の記載によれば、パネルの背面側に、開口縁が内方に突出された取付溝が長手方向に複数設けられ、構造物などに取り付けるための取付ボルト頭部が、この取付溝に摺動可能且つ回転不能に取り付けられ、取付溝のボルトを任意に摺動させることによって構造物のボルト孔位置に一致させ、螺着されるといった方法が提案されている。しかし、パネル背面に取り付けられる取付溝は、一般的にアルミ押出型材が用いられ、パネルが大きくなればなるほどその使用量が多くなるために、高価な部材コストが嵩んで製品コストを引き上げるといった経済的問題が起こってくる。
【０００６】
そこで本発明は、パネルなどの被着体の取付ボルト位置が、適宜２次元的に調整できる安価な構造を有して、道路や鉄道などの沿線構造体に容易に取り付けることが出来、しかも安全性と汎用性の高い被着体の取付構造及び取付金具を提供せんとするものである。
【０００７】
【課題を解決するための手段】
上記目的を達成するために、本発明は次のような構成としている。即ちこの発明に係る被着体の取付構造は、被着体であるパネルの背面側に形成されたレールと、構造体に取付けられると共に前記レールと交叉するように配された取付桟と、取付桟に摺動可能に取り付けられた金具と、前記金具に取付けられると共に前記レールに摺動可能に取り付けられた連結部材とからなり、前記連結部材は、パネル背面の両端縁が相対向して内側に折曲して形成されたレール凹部に内挿されて摺動可能に係合される係合部と、当該係合部に延設して前記金具に取付可能に立ち上げられたボルトの締め付け面とが形成され、当該係合部を内挿するレールの上面が前記締め付け面よりも高く形成されると共に前記締め付け面に立設されたボルトが金具に締め付けられることにより、係合部を内挿する前記レールが金具方向に導かれ、もって前記レールが金具と係合部との間に挟着されるようになされたことを特徴とするものである。
【０００８】
本発明によれば、被着体背面側に形成されたレールと、前記レールと交叉するように配された取付桟と、前記レールと取付桟とを連結し、レール及び取付桟に対して摺動可能に取り付けられた連結部材からなり、この連結部材が前記取付桟とレールに沿って縦横に摺動可能となるので、構造体の取付位置が定められていなくても容易に被着体を取り付けることができるようになる。
【０００９】
前記被着体はパネルであってもよく、そのパネルが電波吸収性を有する電波吸収パネルであっても構わない。
【００１０】
また前記連結部材は、パネル背面の両端縁が相対向して内側に折曲して形成されたレール凹部に内挿されて摺動可能に係合される係合部と、当該係合部に延設して構造体に取付可能に立ち上げられたボルトの締め付け面とが形成され、当該係合部が内挿するレール面が前記締め付け面よりも高く形成されて構造体に取り付けられることを特徴としている。
【００１１】
本発明によれば、パネル背面板の両端縁が曲げ加工されてレールが形成されることによって、背面板に剛性が生じてパネル強度が向上する。また加工作業が容易であり、押出アルミ型材など高価な材料を長尺使用する必要がなくなるので、製造コストが低減できる。また、締め付け面にボルトが立設されてレールに沿って移動できるようになされるので、構造体に前もって取り付けられた下地胴縁のボルト孔に、このボルトを適合させ易くなる。更に、ボルトを構造体に締め付けるにつれて、前記係合部に係合されたレールが構造体に導き寄せられるので、係合部に外挿する前記レールが構造体に強く挟み込まれるように、ボルトが立設された締め付け面よりも前記レール面が高く形成されるようになされる。
【００１２】
前記連結部材は、パネル背面に形成されたレールに少なくとも４個取りつれられてよいが、パネルの大きさや重量に応じて適宜増設することができる。また連結部材の係合部の長さは、取付上の安全性と経済性を考慮して設定されるとよく、構造体に設置された後の振動や風などの外的要因に影響されない長さが設定されて、安全性が確保されるようになされる。
【００１３】
なお被着体は、主として道路や鉄道などの構造体などに設置されるパネル、例えばトンネル内や側壁などへの化粧板や、路側などへの吸音板、遮音板、或いは電波障害を避ける目的で設置される電波吸収パネルなどがあり、またパネル形状以外の異形構成材として例えば吸音体などにも多岐に亘って利用でき、その取り付け面は天井面や側壁面など設置場所及び設置角度に限定されるものではない。
【００１４】
また被着体の取付金具は、被着体であるパネルの背面側に形成されたレールと、構造体に取付けられると共に前記レールと交叉するように配される取付桟と、取付桟に摺動可能に取り付けられる金具と、前記金具に取付けられると共に前記レールに摺動可能に取り付けられる連結部材とからなり、前記連結部材は、パネル背面の両端縁が相対向して内側に折曲して形成されたレール凹部に内挿されて摺動可能に係合される係合部と、当該係合部に延設して前記金具に取付可能に立ち上げられたボルトの締め付け面とが形成され、当該係合部を内挿するレールの上面が前記締め付け面よりも高く形成されると共に前記締め付け面に立設されたボルトが金具に締め付けられることにより、係合部を内挿する前記レールが金具方向に導かれ、もって前記レールが金具と係合部との間に挟着されるようになされたことを特徴としている。
【００１５】
【発明の実施の形態】
次に、本発明の実施の形態について図面を参照し、具体的に説明する。
【００１６】
まず図１は本発明に係るパネルに連結部材が取り付けられた実施の一形態を示す一部切欠斜視図であり、図２は図１の連結部材の拡大斜視図である。また図３は図１のパネルが構造体に取り付けられた主要部斜視図であり、図４は図３の取付部分断面図である。図５は本発明の電波吸収パネルが構造体に設置された実施の一形態を示す設置図である。
【００１７】
まず、図１〜図４について更に詳しく説明する。図１及び図２に示すように、パネル１は電波吸収材料１１を内包する筺体１２の背面板１２ａが、２辺の相対向する両端部を略７字型に折曲させてレール１２ｂを形成させた電波吸収パネルであって、このパネルのレール１２ｂに少なくとも４個の連結部材２が摺動可能に取り付けられている。係る連結部材２は、レール１２ｂ内を補完して摺動可能となされた係合部２１と、その係合部２１から延設して前記パネル１の背面板１２ａと同一面に締め付け面２２が形成されていて、その締め付け面２２に案内溝２２ａが形成されてボルト２３頭が挿通可能且つ回転不能に取り付けられている。そして、挿通されたボルト２３頭の案内溝周縁部を打刻変形させるなどの固定手段２２ｂが施されて、ボルト頭が抜け落ちないように固定されている。
【００１８】
係る連結部材１はアルミ押出型材で形成されており、必要長さに裁断して使用できるようになされるので、安価に提供できる上、ボルトの取付が容易であり、所望の締付強度に耐えられる。なお、前記案内溝２２ａはボルト２３頭が摺動可能に形成されているので、案内溝の両端を抜け止め構造になされて、その間でボルトが摺動自在に係合されてもよいが、前記レール１２ｂと同一方向に摺動するため動かす意味はなく、固定された方が作業性の点で好ましい。
【００１９】
図３では、道路や鉄道などの構造体３に付随する本体鉄骨３１に支持されて吊り材３２が取り付けられた下方に、アルミ型材からなる取付桟３３がこの取付桟の各面に形成された第１の摺動溝３３ａに螺設されて、水平に取り付けられている。そして、この取付桟３３のさらに下方に取付桟と交叉するようにして前記パネル１のレール１２ｂが配置され、パネル背面側のレールに係合された前記連結部材２１のボルト２３を、この取付桟３３の第２の摺動溝３３ｂに、金具３４を介して摺動自在に取り付けられている。
【００２０】
このようにして、パネル背面側のレール１２ｂが隣接するようにして、複数枚のパネル１が連続的に接合されて広い面積を形成している。その配設されたパネル１には、レールの側面を貫通させるワイヤー３５が張設されて、パネルの落下防止対策が施されている。
【００２１】
以上のようにして取り付けられたパネル１の取付構造は、図４に示すように、電波吸収体１１が前面板１２ｃで覆われ、両端縁にレール１２ｂが形成された背面板１２ａを、前記前面板１２ｃに重ね合わせてビス１３止めされて電波吸収パネルをなし、連結部材２の係合部２１が前記レール１２ｂに内挿されて摺動自在に取り付けられると共に、前記レール１２ｂの走行方向と交叉する方向に取付桟３３が配設され、その取付桟に形成された第２の案内溝３３ｂに摺動自在に取り付けられた金具３４に前記連結部材２の締め付け面２２に立設されたボルト２３が螺着されるようになされている。
【００２２】
従って、取付桟３３に形成された第２の案内溝３３ｂを摺動する金具３４と、レール１２ｂに係合して摺動する連結部材２とが個々にＸ軸、Ｙ軸方向に移動できるようになされているので、取付桟３３とパネル１との接合位置がずれていても、２次元的にボルト位置が調整でき、容易に取り付けることができるようになる。
【００２３】
このようにしてパネル１に取り付けられた連結部材２は、１枚のパネルに少なくとも４個の連結部材２が摺動可能に取り付けられているので、道路や鉄道などの構造体３に予め取り付けられた取付桟３３の金具３４に、前記連結部材２のボルト２３が適宜移動させながら挿通することができ、ボルトの位置ズレによる無理な螺着締結が無くなるので、容易に且つ円滑に作業性が出来ると共に、設計通りの締結強度が得られるので安全である。
【００２４】
尚、前記レール１２ｂはパネル１の背面板１２ａを曲げ加工して形成されているが、必ずしもそれに限定されるものではなく、例えば、曲げ加工された桟材またはアルミ型材などがパネルの背面に取り付けられ、前記連結部材の係合部が内挿されて摺動できるようになされても構わない。
【００２５】
係るレール１２ｂの両端部は前記連結部材２が抜け落ちないように抜け止め構造が施されてもよいが、前記ボルト２３が取付桟３３に締め付けられることによって、係合部２１を内挿する前記レール１２ｂが取付桟３３方向に導かられて取付桟に強く狭着させてしまうので、必然的に抜け落ちなくなる。よって、パネルは取りつけられる前の段階では、前記連結部材がレールに取付けられない方が、積載や運搬に邪魔にならないし傷が付かないのでよく、現場にパネルが取りつけられるときに、その都度レールの端から連結部材が内挿摺動されて使用された方が、作業性やコスト面で有利にはたらくので好ましい。
【００２６】
図５は、電波吸収パネルが構造体の天井に取り付けられた実施の一形態を示す設置図であって、構造体３の天井に支持された吊り材３２を介して取りつけられた取付桟３３に、前記パネル１の背面に形成されたレール１２ｂに連結部材２が係合されて、その連結部材２が適正位置に摺動され、螺着締結されるようになされている。係る取付構造によって、電波吸収パネルが天井全面に取り付けられて、施設と車両間で電波のやり取りされる際の障害となる不要電波を吸収するようになされている。
【００２７】
【発明の効果】
パネル背面側を断面形状カギ状に形成されたレールに連結部材が摺動自在に係合されると共に、その連結部材が前記レールと交叉するように配され、構造体に取り付けられた取付桟に摺動自在に取り付けられるので、パネルの取付が２次元的に調整可能となるので取付作業が容易となる。よって、現場での孔位置の手直しはいらなくなる。また、連結部材のボルトを締めることによって、パネルと取付桟とが一体化して締結されるので、取付手間が簡素化できる。更にパネルの裏面板が曲折されてレールを形成する形態になされているので、高価なアルミ型材を使わなくて済み、製造コストが低減できる。
【図面の簡単な説明】
【図１】本発明に係るパネルに連結部材が取り付けられた実施の一形態を示す一部切斜視図である。
【図２】図１の連結部材の拡大斜視図である。
【図３】図１のパネルが構造体に取り付けられた主要部斜視図である。
【図４】図３の取付部分断面図である。
【図５】本発明の電波吸収パネルが構造体に設置された実施の一形態を示す設置図である。
【符号の説明】
１      パネル
１１    電波吸収材料
１２    筺体
１２ａ  背面板
１２ｂ  レール
１２ｃ   前面板
１３    ビス
２      連結部材
２１    係合部
２２    締め付け面
２２ａ  案内溝
２２ｂ  固定手段
２３    ボルト
３      構造体
３１    本体鉄骨
３２    吊り材
３３    取付桟
３３ａ  第１の摺動溝
３３ｂ  第２の摺動溝
３４    金具
３５    ワイヤー
【図１】
0003934327.tif 000002
【図２】
0003934327.tif 000003
【図３】
0003934327.tif 000004
【図４】
0003934327.tif 000005
【図５】
0003934327.tif 000006